(57)【要約】【課題】  処理コスト低減が可能な汚泥処理方法を提供する。【解決手段】  嫌気性処理汚泥４を、反応器６内で水の存在下で温度３００℃以上、圧力１５ＭＰａ以上で処理する。反応器６での処理によって、汚泥４を短時間で適度に分解処理し、化学原料として優れた処理液を得ることができる。従って、汚泥を焼却処理する従来の処理方法に比べ、焼却処理を不要にすることができ、処理コストを低く抑えることができる。さらには、化学原料、例えば発酵原料として優れた処理液を得ることができるため、工業的に有用な発酵生産物、例えばアルコールを低コストで得ることができる。【選択図】  図１
2005324185.tif 000002
【特許請求の範囲】
【請求項１】
嫌気性処理汚泥を、反応器内で水の存在下で温度３００℃以上、圧力１５ＭＰａ以上で処理し、有機成分を含む処理液を得ることを特徴とする嫌気性処理汚泥の処理方法。
【請求項２】
前記嫌気性処理汚泥と混合したときに混合液の温度および圧力が前記範囲になるように加熱および加圧された水を、前記嫌気性処理汚泥とともに反応器内に導入することによって、反応器内の温度および圧力を前記範囲とすることを特徴とする請求項１に記載の嫌気性処理汚泥の処理方法。
【請求項３】
前記嫌気性処理汚泥が、汚泥消化法によって得られた消化汚泥であることを特徴とする請求項１または２に記載の嫌気性処理汚泥の処理方法。
【請求項４】
前記反応器に導入する前の前記嫌気性処理汚泥の温度を２００℃以下にすることを特徴とする請求項１〜３のうちいずれか１項に記載の嫌気性処理汚泥の処理方法。
【発明の詳細な説明】
【技術分野】
【０００１】
本発明は、消化汚泥などの嫌気性処理汚泥を処理する方法、さらに詳しくは、嫌気性処理汚泥を短時間で処理する方法に関する。
【背景技術】
【０００２】
地球温暖化対策としてのＣＯ２削減、循環型社会構築のための廃棄物削減などの観点から、未利用バイオマスの利用が検討されている。
木質バイオマスと並んで、未利用のバイオマスとして知られる有機汚泥は、通常、焼却処理されている。
バイオマスの利用技術としては、特許文献１および非特許文献１に記載された処理方法がある。これらの文献に記載された処理方法では、バイオマスを超臨界状態または亜臨界状態の水を用いて分解処理する。
【特許文献１】特許第３０４２０７６号公報
【非特許文献１】上田進一、他５名、第１３回廃棄物学会研究発表会講演論文集、２００２年、ｐ．２８６〜２８８
【発明の開示】
【発明が解決しようとする課題】
【０００３】
しかしながら、上記焼却処理では、多大な加熱コストを要するという問題があった。
超臨界状態または亜臨界状態の水を用いてバイオマスを分解処理する方法には、非特許文献１の第２８７頁に記載されているように、反応器内面での局部的な加熱により被処理物がチャー化（炭化）してスケールとして生成するという問題があった。さらに、この処理方法では、反応器が高温、高圧条件となるため、被処理物が分解して生成した有機酸などにより反応器の腐食が起こりやすくなるという問題がある。
また、これらの処理方法では、バイオマスの前処理（粉砕等）等に多大なコストを要するという不都合がある。さらには、処理に長時間を要するため処理コストの点で不利であった。
本発明は、上記事情に鑑みてなされたもので、その目的は以下の通りである。
（１）処理コスト低減が可能な汚泥処理方法を提供する。
（２）反応器の腐食を防ぐことができる処理方法を提供する。
（３）反応器内で汚泥がチャー化（炭化）してスケールとして生成するのを防ぐことができる処理方法を提供する。
【課題を解決するための手段】
【０００４】
本発明の嫌気性処理汚泥の処理方法は、嫌気性処理汚泥を、反応器内で水の存在下で温度３００℃以上、圧力１５ＭＰａ以上で処理し、有機成分を含む処理液を得ることを特徴とする。
本発明の処理方法では、前記嫌気性処理汚泥と混合したときに混合液の温度および圧力が前記範囲になるように加熱および加圧された水を、前記嫌気性処理汚泥とともに反応器内に導入することによって、反応器内の温度および圧力を前記範囲とすることができる。
前記嫌気性処理汚泥としては、汚泥消化法によって得られた消化汚泥を使用することができる。
本発明の処理方法では、前記反応器に導入する前の前記嫌気性処理汚泥の温度を２００℃以下にすることが好ましい。
【発明の効果】
【０００５】
本発明では、次に示す効果が得られる。
（１）嫌気性処理汚泥を、水の存在下で温度３００℃以上、圧力１５ＭＰａ以上の条件で処理するので、汚泥を短時間で適度に分解処理し、化学原料として利用可能な処理液を得ることができる。
従って、汚泥を焼却処理する方法に比べ、加熱コスト、廃棄物処理コストなどの処理コストを低く抑えることができる。
（２）化学原料として利用可能な処理液、例えば発酵の基質として適した構造の有機成分（例えば単糖類、二糖類などの糖）を多く含む処理液が得られる。
このため、この処理液を発酵させることによって、高濃度の発酵生産物が得られる。従って、工業的に有用な発酵生産物、例えばアルコールを低コストで得ることができる。
（３）バイオマスである汚泥を処理して得られた処理液を用いて、化石燃料の代替として利用できるアルコール等を得ることができるため、化石燃料の使用量を抑制し、二酸化炭素排出量の低減が可能となる。
（４）嫌気性処理（メタン発酵など）により固形物が微細化された汚泥を使用するので、前処理などに要するコストを低減できる。従って、処理コストを低く抑えることができる。
（５）給水の温度および圧力を、混合部における混合液の温度および圧力が上記範囲となるように設定する方法によれば、反応器を外部から加熱することなく、反応器の温度および圧力を上記範囲とすることができる。
このため、反応器自体の温度を低く抑え、反応器内で汚泥がチャー化（炭化）してスケールとして生成するのを防ぐことができる。従って、高濃度の汚泥を使用することができ、汚泥処理効率を高めるとともに、高濃度の生産物を得ることができる。
（６）給水の温度および圧力を、混合部における混合液の温度および圧力が上記範囲となるように設定する方法によれば、反応器自体の温度を低く抑えることができるため、汚泥の分解生成物として有機酸が生じた場合でも反応器が腐食するのを抑制することができる。
（７）給水の温度および圧力を、混合液の温度および圧力が上記範囲となるように設定する方法によれば、短時間で汚泥を分解でき、糖などの有機成分を効率よく生成させることができる。
【発明を実施するための最良の形態】
【０００６】
図１は、本発明の処理方法の一例を実施可能な反応装置の概略構成図である。
反応装置１は、給水２を供給する給水供給部３と、嫌気性処理汚泥４を供給する汚泥供給部５と、反応器６とを主な構成要素とする。
【０００７】
給水供給部３は、給水２を貯留する貯留槽１１と、給水２を加圧する給水加圧部１２と、給水２を加熱する給水加熱部１３と、給水２を反応器６に供給する給水供給路１４とを備えている。
給水加圧部１２としては、遠心ポンプ、回転ポンプ、往復ポンプ、斜流ポンプ、軸流ポンプなどのポンプを使用できる。
【０００８】
汚泥供給部５は、汚泥４を貯留する貯留槽２１と、汚泥４を加圧する汚泥加圧部２２と、汚泥４を加熱する汚泥加熱部２３と、汚泥４を反応器６に供給する汚泥供給路２４とを備えている。
汚泥加圧部２２は、第１および第２加圧部２６ａ、２６ｂを備えている。第１および第２加圧部２６ａ、２６ｂは、それぞれシリンダ２７ａ、２７ｂと摺動部２８ａ、２８ｂとを備え、汚泥４を被処理液室２９ａ、２９ｂ内で加圧することができるようになっている。
【０００９】
反応器６は、断面略円形の上部空間３１を有する上部３２と、上部３２より内径が大きい断面略円形の下部空間３３を有する下部３４と、下方に向けて徐々に縮径する底部空間３５を有する底部３６と、反応器６内の温度を保つヒータである保温部４０とを備えている。
反応器６は、上部および下部空間３１、３３の軸方向がほぼ鉛直方向に沿うようにされている。
【００１０】
反応器上部３２には、給水２を上部空間３１に導く給水導入路３７と、汚泥４を上部空間３１に導く汚泥導入路３８とが形成されている。
図示例では、これら導入路３７、３８は、反応器６の上部および下部空間３１、３３の軸方向に対しほぼ垂直な方向に沿うように形成されている。また、導入路３７、３８は、互いにほぼ同じ高さ位置に形成されている。また、導入路３７、３８は、上部空間３１の中心軸に対しほぼ回転対称となる位置に形成されている。
導入路３７、３８が形成された部分の上部空間３１は、給水２と汚泥４とが合流する混合部３９である。
【００１１】
以下、図１に示す反応装置１を用いて嫌気性処理汚泥を処理する方法の一例を説明する。
本発明の対象となる嫌気性処理汚泥は、嫌気性生物処理（メタン発酵など）によって得られた汚泥であり、汚泥消化法により得られた消化汚泥を例示できる。
汚泥消化法とは、原料汚泥（下水汚泥、家畜糞尿、工業排水汚泥など）を嫌気性条件下で生物処理する方法をいう。
嫌気性処理汚泥は、あらかじめ濾過することが好ましい。濾別された固形分は燃料として使用可能であるため、バイオマスとしての汚泥を有効に利用することができる。また、処理コストの点でも有利になる。
【００１２】
貯留槽１１内の給水２を給水加圧部１２および給水加熱部１３で加圧および加熱する。
給水２の温度は、低すぎる場合には汚泥４の分解率が低くなる。
給水２の温度が高すぎる場合には、反応器６での汚泥４の分解が過剰となり、発酵生産物（後述）の収率が低下することがある。また、有効エネルギーが高い加熱源が必要となり、コスト面で不利になる。
給水２の圧力は、低すぎる場合には、反応器６内で、沸点における飽和水と飽和水蒸気の比エンタルピー差が大きくなるため、混合液が気液２相状態になり不均一になりやすくなることから、汚泥４の分解効率が低くなる。図２は、水の温度と比エンタルピーの関係を示すグラフである。
また、圧力が高すぎる場合には、耐圧強度が高い厚肉の反応器６が必要となり、設備コストがかさむことになる。
【００１３】
このため、給水２の温度および圧力は、給水２を反応器６内で汚泥４と混合したときに混合液の温度が３００℃以上（好ましくは３２０℃以上、さらに好ましくは３６０℃以上）となり、かつ反応器６内の圧力が１５ＭＰａ以上（好ましくは１８ＭＰａ以上、さらに好ましくは２０ＭＰａ以上）となるように定める。
給水２の温度および圧力は、混合液の温度が５５０℃以下（好ましくは５００℃以下、さらに好ましくは４５０℃以下）となり、かつ反応器６内の圧力が３０ＭＰａ以下（好ましくは２７ＭＰａ以下）となるように定めるのが好ましい。
給水２の温度は、例えば３２０〜５５０℃（好ましくは３５０〜５５０℃）とすることができる。
給水２は、給水供給路１４を通して反応器６の給水導入路３７に導入する。
【００１４】
貯留槽２１内の嫌気性処理汚泥４を、汚泥供給路２４を通して反応器６の汚泥導入路３８に導入する。
汚泥４は、高圧の反応器６に導入するため、予め汚泥加圧部２２で加圧される。また、汚泥４は、反応器６に導入するに先だって、汚泥加熱部２３で加熱することもできる。
汚泥４の温度は、２００℃以下、例えば常温（２０℃）〜２００℃とするのが好ましい。
汚泥４の温度がこの範囲を越えると、反応器６内での汚泥４の分解率が低くなりやすい。また、汚泥加熱部２３で汚泥４がチャー化してスケールとして生成しやすくなる。
汚泥４の温度が上記範囲を下回ると、反応器６内の温度を十分に高めるために給水２の温度を非常に高くすることが必要となり、エネルギーコストの点で不利である。
【００１５】
汚泥４の温度および圧力は、水の密度が０．８７ｇ／ｃｍ３以上となるように設定するのが好ましい。これによって、反応器６での汚泥４の分解効率を高めることができる。
図３は、水の温度と圧力と密度との関係を示すグラフである。
【００１６】
給水２と汚泥４の混合比率（容量基準）は、１：１〜９：１（好ましくは２：１〜９：１）とするのが好ましい。
汚泥４の比率がこの範囲より低いと、処理液の有機成分濃度が低くなりすぎ、発酵生産物（後述）の濃度が低くなってしまう。
汚泥４の比率が上記範囲より高いと、反応器６内の温度を十分に高めるために給水２の温度を非常に高くすることが必要となることから、有効エネルギーが高い加熱源が必要となり、コスト面で不利になる。
【００１７】
反応器６において、給水導入路３７から導入された給水２と、汚泥導入路３８から導入された汚泥４は、上部空間３１内に流入し、混合部３９で合流する。
給水２と汚泥４はここで混合され、混合液の温度は、３００℃以上（好ましくは３２０℃以上、さらに好ましくは３６０℃以上）となる。
このように、予め高温にした給水２を用いて反応器６内で混合液を所定の温度にする方法を直接加熱法という。これに対し、反応器を外部から加熱することにより反応器内の温度を設定する方法を間接加熱法という。
【００１８】
反応器６内の圧力は１５ＭＰａ以上（好ましくは１８ＭＰａ以上、さらに好ましくは２０ＭＰａ以上）となる。
混合部３９における混合液の温度、および反応器６内の圧力を上記範囲とすることによって、汚泥４の分解率を高め、エタノール発酵などで用いられる発酵原料として適した処理液を得ることができる。
混合液の温度、および反応器６内の圧力は、それぞれ５５０℃以下（好ましくは５００℃以下）、３０ＭＰａ以下（好ましくは２７ＭＰａ以下）が好ましい。
【００１９】
混合液の温度が上記範囲未満である場合には、汚泥４の分解が不十分となる。また、混合液が気液２相状態になりやすく、温度が一定でも気液２相の状態が変化するため反応制御が難しくなる。
混合液の温度が上記範囲を越える場合には、反応器６内で汚泥４の分解が過剰となり、発酵生産物の収率が低下することがある。また、有効エネルギーが高い加熱源が必要となり、コスト面で不利になる。
【００２０】
反応器６内の圧力が上記範囲未満である場合には、反応器６内で、沸点における飽和水と飽和水蒸気の比エンタルピー差が大きくなるため、混合液が気液２相状態になり不均一になりやすいことから、汚泥４の分解効率が低くなりやすい。
反応器６内の圧力が上記範囲を越える場合には、耐圧強度が高い厚肉の反応器６が必要となり、設備コストがかさむことになる。
【００２１】
混合液の温度および反応器６内の圧力は、反応器６内の水が超臨界状態または亜臨界状態となるように設定することもできる。
これによって、汚泥４に含まれる難溶有機成分が可溶化しやすくなる。
反応器６内の温度および圧力は、水の密度が０．７３ｇ／ｃｍ３以下（好ましくは０．６９ｇ／ｃｍ３以下、さらに好ましくは０．５５ｇ／ｃｍ３以下）となるように設定するのが好ましい。これによって、汚泥４の分解効率を高めることができる。
なお、反応器６では、必要に応じて保温部４０を用いて内部温度を維持することができる。
【００２２】
混合液のｐＨは特に限定されないが、予めアルカリ（水酸化ナトリウムなど）を汚泥４に添加することなどにより、８以上に設定してもよい。
【００２３】
反応器６内においては、混合液中の微生物が死滅するとともに、有機成分が分解され低分子化する。
汚泥４には、微生物の細胞壁などに由来する難分解性有機成分が含まれているが、難分解性有機成分は反応器６内の処理によって液中に溶出する。溶出した難分解性有機成分は分解され、低分子化する。例えば多糖類は糖化により低分子の糖類（単糖類、二糖類など）となる。単糖類としては、例えばグルコース、フルクトース、ガラクトース、これらの異性体を挙げることができる。
有機成分が分解された処理液は、反応器出口４１を経て、処理液排出路４２を通して排出される。
処理液は１次冷却部４３で冷却された後、固液分離部４４で固形物が分離され、次いで２次冷却部４５でさらに冷却され、気液分離部４６で気体が分離された後、処理液槽４７に導入される。
なお、符号４８は冷却部４３、４５に用いられる冷媒を供給する冷媒供給部である。
【００２４】
上記処理液は、発酵原料として発酵槽５０に導入され、ここで酵母などの微生物により発酵が行われる。
発酵の種類としては、アルコール発酵（特にエタノール発酵）、酢酸発酵、乳酸発酵を例示できる。
発酵によって、上記処理液中の有機成分、特に糖質が分解され、発酵生産物としてアルコールなど（例えばエタノール）が高収率で得られる。
得られたアルコールは、燃料として利用することができる。例えば、アルコールをガソリンに添加して得られた混合燃料を自動車などに使用することができる。
【００２５】
上記処理方法は、次に示す効果を奏する。
（１）嫌気性処理汚泥４を、水の存在下で温度３００℃以上、圧力１５ＭＰａ以上の条件で処理するので、汚泥４を短時間で適度に分解処理し、化学原料、例えば発酵原料として利用可能な処理液を得ることができる。
従って、汚泥を焼却処理する方法に比べ、加熱コスト、廃棄物処理コストなどの処理コストを低く抑えることができる。
【００２６】
（２）化学原料として利用可能な処理液、例えば発酵原料として優れた処理液を得ることができるため、工業的に有用な発酵生産物、例えばアルコールを低コストで得ることができる。
処理液が発酵原料として優れた性質を有する理由については、次の推測が可能である。
上記温度および圧力条件での処理によって、汚泥４は、反応器６で急激な温度上昇にさらされることになる。
これによって、反応器６内の水の密度が短時間で低下し（すなわち、膨張し）、汚泥４に含まれる有機成分が効率よく分解され、低分子化する。
この際、反応器６内の温度および圧力を上記範囲とするので、有機成分が過剰に低分子化することなく、発酵の基質として適した構造（例えば単糖類、二糖類などの糖）となる。このため、この有機成分を多く含む処理液が得られる。
従って、この処理液を発酵原料として使用すると、高濃度の発酵生産物が得られる。
【００２７】
（３）嫌気性処理汚泥は多くの難分解性有機成分を含むが、上記処理方法によれば、これを効率よく分解し、発酵分解が可能となるまで低分子化することができる。
従って、アルコールなどの発酵生産物の収率を高めることができる。
【００２８】
（４）嫌気性処理汚泥４を上記温度および圧力条件で処理するので、汚泥４に含まれる微生物を死滅させることができる。
このため、処理液を原料として発酵を行う際に、発酵に関与しない微生物の増殖により発酵が阻害されるのを未然に防ぐことができる。
【００２９】
（５）アルコール発酵を行う場合には、バイオマスである汚泥を用いて、自動車などの燃料として利用できるアルコールを得ることができるため、化石燃料の使用量を抑制し、自動車などからの二酸化炭素排出量の低減が可能となる。
【００３０】
（６）一般に、固体のバイオマスを分解処理してアルコールなどの有価物を製造する場合には、バイオマスの前処理（粉砕等）等に多大なコストを要する。
これに対し、上記処理方法では、嫌気性処理（メタン発酵など）により固形物が微細化された汚泥を使用するので、前処理などに要するコストを低減できる。従って、処理コストを低く抑えることができる。
【００３１】
（７）上記処理方法では、給水２の温度および圧力を、混合部３９における混合液の温度および圧力が上記範囲となるように設定する。この方法によれば、反応器６を外部から加熱することなく、反応器６の温度および圧力を上記範囲とすることができる。
このため、反応器６自体の温度を低く抑え、反応器６内で汚泥４がチャー化（炭化）してスケールとして生成するのを防ぐことができる。
従って、高濃度の汚泥４を使用することができ、汚泥処理効率を高めるとともに、高濃度の発酵生産物（アルコール等）を得ることができる。
これに対し、反応器を外部から加熱することにより反応器内の温度および圧力を設定する処理方法では、反応器自体の温度を比較的高くする必要があり、反応器内面での局部的な加熱により汚泥がチャー化（炭化）してスケールとして生成するおそれがある。
【００３２】
（８）上記処理方法では、給水２の温度および圧力を、混合液の温度および圧力が上記範囲となるように設定する。この方法によれば、反応器６自体の温度を低く抑えることができるため、汚泥４の分解生成物として有機酸が生じた場合でも反応器６が腐食するのを抑制することができる。
【００３３】
（９）上記処理方法では、給水２の温度および圧力を、混合液の温度および圧力が上記範囲となるように設定する方法（直接加熱法）が採用される。この方法によれば、短時間で汚泥４を分解でき、糖などの有機成分を効率よく生成させることができる。
【００３４】
（１０）上記処理方法では、水の密度が０．８７ｇ／ｃｍ３以上となる条件にある汚泥４を反応器６に導入し、水の密度が０．７３ｇ／ｃｍ３以下となる条件で処理することができる。
この方法によれば、汚泥を焼却処理する従来方法に比べ、焼却処理に要するコストを削減できる。
さらに、発酵原料として優れた処理液を得ることができ、発酵生産物（アルコール等）を低コストで製造することができる。
【実施例】
【００３５】
（試験１）
家畜糞尿を消化して得られた消化汚泥を水で２倍に希釈し、１ｍｍメッシュのフィルタを通して汚泥４とした。図１に示す反応装置１を用いて、加熱および加圧した給水２と汚泥４とを反応器６に導入した。試験条件は以下の通りである。
（１−１）反応器圧力２３ＭＰａ、温度４１０℃、反応時間５秒、混合比（給水１８５［ｍｌ／ｍｉｎ］／汚泥２０［ｍｌ／ｍｉｎ］、給水温度４７１℃／汚泥温度２５℃。
（１−２）反応器圧力２３ＭＰａ、温度３８０℃、反応時間８秒、混合比（給水１８５［ｍｌ／ｍｉｎ］／汚泥２０［ｍｌ／ｍｉｎ］、給水温度３９１℃／汚泥温度２５℃。
（１−３）反応器圧力２３ＭＰａ、温度３７５℃、反応時間１２秒、混合比（給水１８５［ｍｌ／ｍｉｎ］／汚泥２０［ｍｌ／ｍｉｎ］、給水温度３７９℃／汚泥温度２５℃。
（１−４）反応器圧力２３ＭＰａ、温度３７０℃、反応時間２０秒、混合比（給水１８５［ｍｌ／ｍｉｎ］／汚泥２０［ｍｌ／ｍｉｎ］、給水温度３７７℃／汚泥温度２５℃。
（１−５）反応器圧力２０．５ＭＰａ、温度３６５℃、反応時間１０秒、混合比（給水１６５［ｍｌ／ｍｉｎ］／汚泥２５［ｍｌ／ｍｉｎ］、給水温度３７０℃／汚泥温度２５℃。
（１−６）反応器圧力１９．５ＭＰａ、温度３６３℃、反応時間９秒、混合比（給水１６５［ｍｌ／ｍｉｎ］／汚泥２５［ｍｌ／ｍｉｎ］、給水温度３６５℃／汚泥温度２５℃。
（１−７）反応器圧力１８ＭＰａ、温度３２０℃、反応時間３３秒、混合比（給水１４０［ｍｌ／ｍｉｎ］／汚泥２０［ｍｌ／ｍｉｎ］、給水温度３４７℃／汚泥温度２５℃。
（１−８）反応器圧力１５ＭＰａ、温度３００℃、反応時間３５秒、混合比（給水１４０［ｍｌ／ｍｉｎ］／汚泥２０［ｍｌ／ｍｉｎ］、給水温度３２９℃／汚泥温度２５℃。
なお、反応時間とは、反応器６における滞留時間をいう。
得られた処理液を、示差屈折率検出器（カラム：Ｓｈｉｍ−ｐａｃｋ  ＳＰＲ−Ｎａ、溶離水：水）を用いて分析した結果を図４に示す。図４には、試薬のグルコースの分析結果を併せて示す。
図４より、反応器６での処理によって、グルコースに近い分子量をもつ有機成分を含む処理液が得られたことが確認できた。
【００３６】
（試験２）
試験１で用いたものと同様の消化汚泥を水で２倍に希釈し、２ｍｍメッシュのフィルタを通して汚泥４とした。図１に示す反応装置１を用いて、加熱および加圧した給水２と汚泥４とを反応器６に導入した。
汚泥４の温度は５０℃、流量は６０ｍＬ／ｍｉｎとした。給水２の温度は４９０℃、圧力は２４ＭＰａ、流量は１２０ｍＬ／ｍｉｎとした。反応器６内の温度および圧力は３８０℃、２４ＭＰａとした。混合液の反応器６の滞留時間は２０秒とした。
得られた処理液１Ｌを、５ｇのドライイーストとともに発酵槽に入れ、ゆるく攪拌しつつ温度３２℃の条件においた。
試験開始後、１２時間後、２４時間後、および４８時間後に上澄み液を採取し、ガスクロマトグラフィーによる分析に供した。結果を図５に示す。
比較のため、汚泥４（汚泥原液）も同様に分析した。図５には、試薬のエタノールの分析結果を併せて示す。
【００３７】
（試験３）
試験２で得られた処理液５００ｍＬをドライイーストとともに１Ｌ容量の容器に入れ、温度２０〜２４℃の条件においた。
試験開始後、５日後および１５日後に上澄み液を採取し、ガスクロマトグラフィーによる分析に供した。結果を図５に示す。
図５より、処理液を発酵させることによって、エタノールが生成したことが確認できた。
【００３８】
（試験４）
試験１で用いたものと同様の消化汚泥を水で３倍に希釈して得られた汚泥（汚泥原液）１５０ｍｌを、オートクレーブ（反応器、内径５０ｍｍ、高さ２２０ｍｍ、材質ＳＵＳ３１６、攪拌機付き）を用いて加熱処理した。この加熱方法は、反応器外壁面に取り付けたマイクロリングヒータにより反応器内の汚泥を加熱するため、間接加熱法である。加熱処理時間は１時間とした。マイクロリングヒータ温度を反応器壁面温度として、処理条件を以下に示す。
（４−１）反応器圧力１．１ＭＰａ、反応器壁面温度２００℃、攪拌機回転数４００ｒｐｍ、１時間後の汚泥温度１８５℃。
（４−２）反応器圧力２．８ＭＰａ、反応器壁面温度２５０℃、攪拌機回転数４００ｒｐｍ、１時間後の汚泥温度２３１℃。
（４−３）反応器圧力１０．３ＭＰａ、反応器壁面温度２５０℃、攪拌機回転数４００ｒｐｍ、１時間後の汚泥温度２３５℃。
（４−４）反応器圧力６．７ＭＰａ、反応器壁面温度３００℃、攪拌機回転数４００ｒｐｍ、１時間後の汚泥温度２８１℃。
試験終了後、反応器内の汚泥を観察したところ、反応器壁面温度を２５０℃とした場合には汚泥に変色が見られ、３００℃とした場合には汚泥のチャー化が観察された。
得られた処理液を、示差屈折率検出器（カラム：Ｓｈｉｍ−ｐａｃｋ  ＳＰＲ−Ｎａ、溶離水：水）を用いて分析した結果を図６に示す。比較のため、汚泥原液も同様に分析した。図６には、試薬のグルコースおよびフルクトースの分析結果を併せて示す。
図６に矢印で示すように、単糖類に近い分子量をもつ有機成分を含む処理液が得られたことが確認できた。
【００３９】
混合部での混合液温度と給水温度との関係を図７に示す。試験条件を次に示す。
例１：反応器圧力１８ＭＰａ、汚泥温度２５℃、混合比（給水：汚泥）９：１。
例２：反応器圧力２５ＭＰａ、汚泥温度２５℃、混合比（給水：汚泥）９：１。
例３：反応器圧力３０ＭＰａ、汚泥温度２５℃、混合比（給水：汚泥）９：１。
例４：反応器圧力１８ＭＰａ、汚泥温度２５℃、混合比（給水：汚泥）２：１。
例５：反応器圧力２５ＭＰａ、汚泥温度２５℃、混合比（給水：汚泥）２：１。
例６：反応器圧力３０ＭＰａ、汚泥温度２５℃、混合比（給水：汚泥）２：１。
例７：反応器圧力２５ＭＰａ、汚泥温度２００℃、混合比（給水：汚泥）２：１。
【図面の簡単な説明】
【００４０】
【図１】本発明の処理方法の一例を実施可能な反応装置の概略構成図である。
【図２】水の温度と比エンタルピーの関係を示すグラフである。
【図３】水の温度と圧力と密度との関係を示すグラフである。
【図４】汚泥を直接加熱法により加熱処理して得られた処理液の成分分析結果を示すグラフである。
【図５】汚泥を加熱処理して得られた処理液を発酵させて得られた液の成分分析結果を示すグラフである。
【図６】汚泥を間接加熱法により加熱処理して得られた処理液の成分分析結果を示すグラフである。
【図７】試験の結果を示すグラフである。
【符号の説明】
【００４１】
１…反応装置、２…給水、３…給水供給部、４…嫌気性処理汚泥、５…汚泥供給部、６…反応器、１２…給水加圧部、１３…給水加熱部、 ５０…発酵槽
【図１】
2005324185.tif 000003
【図２】
2005324185.tif 000004
【図３】
2005324185.tif 000005
【図４】
2005324185.tif 000006
【図５】
2005324185.tif 000007
【図６】
2005324185.tif 000008
【図７】
2005324185.tif 000009